(57)【要約】【課題】第１のスピーカに取り付けられる相対的に小径な第２のスピーカの取付位置を適宜選択可能で、かつ、該第２のスピーカの着脱も容易な「複合スピーカ装置」を提供すること。【解決手段】大径な第１のスピーカ１の前方に小径な第２のスピーカ２が一体的に設置された複合スピーカ装置において、第１のスピーカ１の振動板１２を跨いでフレーム部１３に取付板３を固定し、この取付板３に雄ねじ部４ａと頭部４ｂとの間に角柱部４ｃを設けてなるボルト部材４を用いて第２のスピーカ２を圧着・固定するようにした。取付板３にはスリット状の長孔３ａが設けてあり、ボルト部材４の頭部４ｂは長孔３ａよりも幅広であるが、角柱部４ｃは長孔３ａと略同幅で該長孔３ａに回転不能かつスライド移動可能に挿通される。また、雄ねじ部４ａは、第２のスピーカ２の底部に設けられたねじ孔２ａに螺着される。【選択図】図１
2008131269.tif 000002
【特許請求の範囲】
【請求項１】
第１のスピーカの前方に該第１のスピーカよりも小径な第２のスピーカが一体的に設置された複合スピーカ装置において、
前記第１のスピーカのフレーム部に固定されたスリット状の長孔を有する取付板と、
前記第２のスピーカの底部に設けられたねじ孔に螺着される雄ねじ部と前記長孔よりも幅広な頭部とを有すると共に、これら雄ねじ部と頭部との間に前記長孔に回転不能かつスライド移動可能に挿通される角柱部を有するボルト部材とを備え、
前記角柱部を前記長孔に挿通し、この状態で前記第２のスピーカを回転して前記雄ねじ部を前記ねじ孔に螺入することにより、該第２のスピーカが前記取付板に圧着・固定されるように構成したことを特徴とする複合スピーカ装置。
【請求項２】
請求項１の記載において、前記長孔が前記取付板の湾曲部に形成されていると共に、前記第２のスピーカの底面が前記湾曲部と同等の曲率に湾曲させてあることを特徴とする複合スピーカ装置。
【請求項３】
請求項１または２の記載において、前記取付板に前記長孔の一部を拡幅した幅広孔が形成されており、この幅広孔に前記ボルト部材の前記頭部が挿通可能であることを特徴とする複合スピーカ装置。
【発明の詳細な説明】
【技術分野】
【０００１】
本発明は、第１のスピーカの前方にこれよりも小径な第２のスピーカが設置された同軸型の複合スピーカ装置に関するものである。
【背景技術】
【０００２】
従来より、ウーハと称せられる中低音用スピーカの前方にツイータと称せられる小径な高音用スピーカを一体的に設置することにより、スピーカ全体を大型化せずに音響性能の向上を図った同軸型の複合スピーカ装置が種々提案されている。例えば、特許文献１に開示されている従来の複合スピーカ装置では、中低音用スピーカの振動板を覆っているスピーカグリルの略中央部に円筒状の取付部を設け、この取付部に高音用スピーカが着脱可能に嵌合できるように構成されている。
【０００３】
また、特許文献２に開示されている従来の複合スピーカ装置では、中低音用スピーカの振動板を跨ぐように前方に配置したブリッジをフレーム部に固定すると共に、このブリッジに設けられた開口部に高音用スピーカを配置し、ブリッジが高音用スピーカを回動可能に軸支している。つまり、ブリッジに対する高音用スピーカの取付姿勢を変更させることによって、高音用スピーカから出力される音の伝播方向を調整できるようになっている。
【特許文献１】実開平６−２３３９３号公報（第６−７頁、図１）
【特許文献２】特開平１０−３０８９９３号公報（第２−３頁、図２）
【発明の開示】
【発明が解決しようとする課題】
【０００４】
しかしながら、上述した従来技術のうち、特許文献１に開示された前者の複合スピーカ装置においては、中低音用スピーカに対する高音用スピーカの取付位置が一義的に決定されてしまうため、指向性が強い高音領域において音の伝播方向を調整できないという問題があった。一方、特許文献２に開示された後者の複合スピーカ装置の場合は、高音用スピーカの取付姿勢を変更させることはできるものの、この高音用スピーカがブリッジに対して着脱可能な構成にはなっていないため、高音用スピーカを交換したり、あるいは高音用スピーカを中低音用スピーカから離した別の場所に設置する際に、煩雑な取外し作業を余儀なくされるという問題があった。
【０００５】
本発明は、このような従来技術の実情に鑑みてなされたもので、その目的は、第１のスピーカに取り付けられる相対的に小径な第２のスピーカの取付位置を適宜選択可能で、かつ、該第２のスピーカの着脱も容易な複合スピーカ装置を提供することにある。
【課題を解決するための手段】
【０００６】
本発明は、第１のスピーカの振動板を跨いでフレーム部に固定される取付板にスリット状の長孔を設け、この長孔に回転不能かつスライド移動可能に挿通されるボルト部材を第２のスピーカの底部に螺着させることによって、ボルト部材の頭部と第２のスピーカの底面との間に該取付板を挟圧できるようにした。
【発明の効果】
【０００７】
本発明の複合スピーカ装置によれば、第１のスピーカのフレーム部に固定された取付板の長孔に沿ってボルト部材をスライド移動させることにより、第２のスピーカの取付位置を適宜選択可能なため、第２のスピーカから出力される音の伝播方向を調整することができて音響性能が向上させやすい。また、第２のスピーカを回転して取付板の長孔に挿通したボルト部材をねじ孔に螺入させることによって、この第２のスピーカを取付板に圧着・固定させることができるため、第２のスピーカの取付作業が容易であるのみならず、第２のスピーカを交換したり第１のスピーカから離した別の場所に設置する際の取外し作業が容易である。
【発明を実施するための最良の形態】
【０００８】
本発明は、第１のスピーカの前方に該第１のスピーカよりも小径な第２のスピーカが一体的に設置された複合スピーカ装置において、前記第１のスピーカのフレーム部に固定されたスリット状の長孔を有する取付板と、前記第２のスピーカの底部に設けられたねじ孔に螺着される雄ねじ部と前記長孔よりも幅広な頭部とを有すると共に、これら雄ねじ部と頭部との間に前記長孔に回転不能かつスライド移動可能に挿通される角柱部を有するボルト部材とを備え、前記角柱部を前記長孔に挿通し、この状態で前記第２のスピーカを回転して前記雄ねじ部を前記ねじ孔に螺入することにより、該第２のスピーカが前記取付板に圧着・固定されるように構成した。
【０００９】
このように構成された複合スピーカ装置においては、ボルト部材の角柱部を取付板の長孔内に位置させて回転不能にした状態で、その雄ねじ部を第２のスピーカのねじ孔に螺入させるべく該第２のスピーカを回転することによって、ボルト部材の頭部と第２のスピーカの底面との間に取付板を挟圧できるため、第２のスピーカを取付板に圧着・固定するという取付作業が容易に行える。また、取付状態の第２のスピーカを逆向きに回転すれば、取付板との締結が解除されてボルト部材を取り外すこともできるので、第２のスピーカを交換したり第１のスピーカから離した別の場所に設置する際に、この第２のスピーカの取外し作業は容易に行える。また、取付板の長孔に沿ってボルト部材をスライド移動させることにより、第２のスピーカの取付位置を適宜選択することができるため、第２のスピーカから出力される音の伝播方向を調整することができて音響性能が向上させやすい。なお、第２のスピーカが取り付けられる取付板は第１のスピーカのフレーム部に固定されて振動板の前方に配置されているので、この取付板は第１のスピーカの振動板を保護する機能を果たしており、それゆえスピーカグリルを別途設ける必要はない。
【００１０】
上記の構成において、取付板の長孔が該取付板の湾曲部に形成されていると共に、第２のスピーカの底面が該湾曲部と同等の曲率に湾曲させてあると、取付板の長孔に沿ってボルト部材をスライド移動させることにより、第２のスピーカの取付姿勢が連続的に大きく変化するため、第２のスピーカから出力される音の伝播方向を所望方向へ設定するという調整作業が極めて容易に行えるようになって好ましい。
【００１１】
また、上記の構成において、取付板に長孔の一部を拡幅した幅広孔が形成されており、この幅広孔にボルト部材の頭部が挿通可能であると、第２のスピーカにボルト部材を非締結状態で螺着させたまま、その頭部を取付板の幅広孔に挿通して角柱部を長孔に沿って所望の位置までスライド移動させることができ、この所望位置で第２のスピーカを回転すれば取付作業が完了するので、作業性が極めて良好となって好ましい。
【実施例】
【００１２】
実施例について図面を参照して説明すると、図１は実施例に係る複合スピーカ装置の断面図、図２は該複合スピーカ装置から高音用スピーカを取り外した状態を示す平面図、図３は図１に示すボルト部材の斜視図である。
【００１３】
図１に示す複合スピーカ装置は、ウーハと称せられる中低音用スピーカ１の前端部に取付板３を固設し、この取付板３にボルト部材４を用いてツイータと称せられる高音用スピーカ２を取り付けた同軸型の複合スピーカ装置であり、高音用スピーカ２は中低音用スピーカ１に比べて十分に小径である。中低音用スピーカ１は、磁気回路部１０やボイスコイル１１、振動板１２、フレーム部１３等によって主に構成されており、振動板１２を支持しているフレーム部１３の前端面に取付板３の両端部が固定されている。高音用スピーカ２は、磁気回路部２０やボイスコイル２１、振動板２２、フレーム部２３等によって主に構成されており、この高音用スピーカ２の底面中央部にはねじ孔２ａが設けられている。なお、図１に示すように、高音用スピーカ２の底面は湾曲面として形成されており、その曲率は取付板３の後述する湾曲部３ｃの曲率と同等である。また、高音用スピーカ２の信号ケ−ブル２４は、取付板３の後述する長孔３ａを貫通させて中低音用スピーカ１のフレーム部１３へ引き廻すことによって、図示せぬ外部配線用端子と接続されている。
【００１４】
取付板３は図１に示すようにフォーミングされた細長形状の部材であり、この取付板３は中低音用スピーカ１の中心軸を横切って振動板１２を跨ぐようにフレーム部１３に固定されている。図２に示すように、取付板３には、スリット状の長孔３ａと、長孔３ａの一部を拡幅した幅広孔３ｂとが穿設されている。また、取付板３の中央部分は凹状に湾曲させた湾曲部３ｃとなっており、この湾曲部３ｃを長孔３ａが縦断している。なお、前述したように、湾曲部３ｃの曲率は高音用スピーカ２の底面の曲率と同等である。
【００１５】
ボルト部材４は図３に示すような外観を呈し、先端側に雄ねじ部４ａが設けられて基端側に頭部４ｂが設けられ、かつ、雄ねじ部４ａと頭部４ｂとの間に角柱部４ｃが設けられている。このボルト部材４の雄ねじ部４ａは高音用スピーカ２のねじ孔２ａに螺着可能であり、頭部４ｂは取付板３の長孔３ａよりも幅広な平板状に形成されている。また、ボルト部材４の角柱部４ｃは取付板３の長孔３ａと略同幅な正四角柱状に形成されているため、この角柱部４ｃは長孔３ａに回転不能かつスライド移動可能に挿入させることができる。
【００１６】
次に、高音用スピーカ２を取付板３に取り付ける際の手順について説明する。まず、高音用スピーカ２のねじ孔２ａにボルト部材４の雄ねじ部４ａを非締結状態で螺着させて、両者２，４を一体化する。そして、ボルト部材４の頭部４ｂを取付板３の幅広孔３ｂに挿通し、角柱部４ｃを長孔３ａに沿って所望の位置までスライド移動させる。この所望位置において長孔３ａ内に位置する角柱部４ｃは回転不能となっているため、ボルト部材４に螺着されている高音用スピーカ２を所定量（周方向へ３０度程度）回転することによって、雄ねじ部４ａをねじ孔２ａへ螺入させて高音用スピーカ２の底面とボルト部材４の頭部４ｂとの間に取付板３を挟圧することができ、これにより高音用スピーカ２の取付作業が完了する。つまり、長孔３ａを貫通するボルト部材４の雄ねじ部４ａをねじ孔２ａに螺着・締結させるべく、高音用スピーカ２を所定量回すことによって、図１に示すように高音用スピーカ２を取付板３に圧着・固定することができる。
【００１７】
このように本実施例に係る複合スピーカ装置は、ボルト部材４の角柱部４ｃを取付板３の長孔３ａ内の所望位置へスライド移動させてから高音用スピーカ２を所定量回すことによって、ボルト部材４の頭部４ｂと高音用スピーカ２の底面との間に取付板３を挟圧できるため、高音用スピーカ２を取付板３の所望位置に圧着・固定するという取付作業が容易に行える。また、取付板３の湾曲部３ｃに設けられた長孔３ａに沿ってボルト部材４をスライド移動させることにより、高音用スピーカ２の取付位置や取付姿勢を変更できるため、高音用スピーカ２から出力される音の伝播方向を調整して音響性能を向上させることが容易である。さらに、高音用スピーカ２を逆向きに回せば取付板３との締結が解除されるため、幅広孔３ｂを利用して、ボルト部材４を螺着させたまま高音用スピーカ２を中低音用スピーカ１から容易に取り外すことができる。したがって、高音用スピーカ２を交換したり、高音用スピーカ２を中低音用スピーカ１から離した別の場所に設置する際に、煩雑な取外し作業を強いられることはない。
【００１８】
しかも、高音用スピーカ２が取り付けられる取付板３は中低音用スピーカ１の振動板１２を跨ぐように前方に配置されているので、この取付板３は該振動板１２を保護する機能を果たしている。それゆえ、スピーカグリルを別途設ける必要がなく、少ない部品点数で複合スピーカ装置が構成されている。
【００１９】
なお、上記実施例では、取付板３の凹状の湾曲部３ｃに長孔３ａが形成してあり、かつ、高音用スピーカ２の底面が該湾曲部３ｃと同等の曲率に湾曲させてあるため、長孔３ａに沿ってボルト部材４をスライド移動させることにより、高音用スピーカ２の取付姿勢を連続的に大きく変化させることができる。したがって、高音用スピーカ２から出力される音の伝播方向を所望方向へ設定するという調整作業が極めて容易に行えると共に、高音用スピーカ２が中低音用スピーカ１の前方へ大きく突出しない位置に取り付けられるようになっている。ただし、取付板３に前方へ突出する凸状の湾曲部を設け、その湾曲部に形成した長孔に沿ってボルト部材４をスライド移動させた場合でも、高音用スピーカ２の取付姿勢を連続的に大きく変化させることはできる。また、図４に示す変形例のように、取付板３の直線状部分に長孔３ａが形成されていたとしても、この長孔３ａに沿ってボルト部材４をスライド移動させれば高音用スピーカ２の取付位置を大きく変化させることができるため、高音用スピーカ２から出力される音の伝播方向を調整することは可能である。
【００２０】
また、上記実施例では、細長形状の取付板３を用いているが、高音用スピーカ２の取付位置や取付姿勢の選択肢を増やすために取付板３を他の形状、例えば十字形状等にしてもよい。
【００２１】
また、上記実施例では、中低音用スピーカ１の前方に高音用スピーカ２を設置した複合スピーカ装置について説明しているが、低音用スピーカの前方に中音用スピーカを設置した複合スピーカ装置や、中音用スピーカの前方に高音用スピーカを設置した複合スピーカ装置であっても、本発明を適用可能であることは言うまでもない。
【図面の簡単な説明】
【００２２】
【図１】実施例に係る複合スピーカ装置の断面図である。
【図２】該複合スピーカ装置から高音用スピーカを取り外した状態を示す平面図である。
【図３】図１に示すボルト部材の斜視図である。
【図４】取付板の変形例を示す要部斜視図である。
【符号の説明】
【００２３】
１  中低音用スピーカ（第１のスピーカ）
２  高音用スピーカ（第２のスピーカ）
２ａ  ねじ孔
３  取付板
３ａ  長孔
３ｂ  幅広孔
３ｃ  湾曲部
４  ボルト部材
４ａ  雄ねじ部
４ｂ  頭部
４ｃ  角柱部
１２  （第１のスピーカの）振動板
１３  （第１のスピーカの）フレーム部
【図１】
2008131269.tif 000003
【図２】
2008131269.tif 000004
【図３】
2008131269.tif 000005
【図４】
2008131269.tif 000006